【手続補正書】
【提出日】平成25年9月26日(2013.9.26)
【手続補正１】
【補正対象書類名】明細書
【補正対象項目名】０００１
【補正方法】変更
【補正の内容】
【０００１】
本発明は、画像処理装置、画像処理方法及びプログラムに関し、特に、被写体の特徴を直感的かつ即座に把握させることができる技術に関する。
【手続補正２】
【補正対象書類名】明細書
【補正対象項目名】０００５
【補正方法】変更
【補正の内容】
【０００５】
しかしながら、特許文献１記載の技術では、鑑賞者は、表示されたスケールから被写体の大きさを把握するように試みるが、当該スケールは、被写体と同一の寸法であり、かつ、長さ等を単純な数値表現により表すものであるため、被写体の大きさを即座に直感的に把握することは困難であるという問題があった。
【手続補正３】
【補正対象書類名】明細書
【補正対象項目名】０００６
【補正方法】変更
【補正の内容】
【０００６】
本発明は、このような状況に鑑みてなされたものであり、被写体の特徴を直感的かつ即座に把握させることができる画像処理装置、画像処理方法、及びプログラムを提供することを目的とする。
【手続補正４】
【補正対象書類名】明細書
【補正対象項目名】０００７
【補正方法】変更
【補正の内容】
【０００７】
上記目的を達成するため、請求項１に記載の発明は、被写体を含む画像のデータを取得する第１の取得手段と、前記第１の取得手段により取得された画像のデータに基づいて、前記画像に含まれる主要被写体の特徴を取得する特徴取得手段と、前記特徴取得手段により取得された主要被写体の特徴に基づいて、当該主要被写体の特徴に対する相対的な指標となる指標画像のデータを取得する第２の取得手段と、前記第１の取得手段により取得された画像のデータと、前記第２の取得手段により取得された指標画像のデータとを合成する合成手段と、を備えた画像処理装置であることを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
また、上記目的を達成するため、請求項２に記載の発明は、前記特徴取得手段により取得された主要被写体の特徴に基づいて、前記指標画像のデータを加工する加工手段を更に備え、前記第２の取得手段は、前記加工手段により加工された指標画像のデータを前記指標画像のデータとして取得する画像処理装置であることを特徴とする。
【手続補正７】
【補正対象書類名】明細書
【補正対象項目名】００１０
【補正方法】変更
【補正の内容】
【００１０】
また、上記目的を達成するため、請求項３に記載の発明は、複数の指標画像を取得する画像取得手段と、前記画像取得手段により取得された複数の指標画像の何れか一つの選択する選択手段とを更に備え、前記加工手段は、前記選択手段により選択された指標画像を加工する画像処理装置であることを特徴とする。
【手続補正８】
【補正対象書類名】明細書
【補正対象項目名】００１１
【補正方法】変更
【補正の内容】
【００１１】
また、上記目的を達成するため、請求項４に記載の発明は、前記特徴取得手段は、前記主要被写体の長さを前記特徴として計測する計測手段を有し、前記加工手段は、前記計測手段により計測された主要被写体の長さに基づいて、前前記指標画像のデータを加工する画像処理装置であることを特徴とする。
また、上記目的を達成するため、請求項５に記載の発明は、前記加工手段は、前記主要被写体の長さが前記指標画像より長い場合は、前記主要被写体の長さに合わせるように前記指標画像のデータを複製する複製手段を更に備え、前記合成手段は、前記第１の取得手段により取得された画像のデータと、前記複製手段により複製された指標画像のデータとを合成する画像処理装置であることを特徴とする。
また、上記目的を達成するため、請求項６に記載の発明は、前記計測手段は、前記被写体の直交する２辺の長さを計測する画像処理装置であることを特徴とする。
また、上記目的を達成するため、請求項７に記載の発明は、前記合成手段により合成された前記画像のデータと前記指標画像のデータとを表示手段に表示させる表示制御手段を更に備えた画像処理装置であることを特徴とする。
【手続補正９】
【補正対象書類名】明細書
【補正対象項目名】００１２
【補正方法】変更
【補正の内容】
【００１２】
また、上記目的を達成するため、請求項８に記載の発明は、画像処理装置が実行する画像処理方法において、被写体を含む画像のデータを取得する第１の取得ステップと、前記第１の取得ステップの処理により取得された画像のデータに基づいて、前記画像に含まれる主要被写体の特徴を取得する特徴取得ステップと、前記特徴取得ステップの処理により取得された主要被写体特徴に基づいて、当該主要被写体の特徴に対する相対的な指標となる指標画像のデータを取得する第２の取得ステップと、前記第１の取得ステップにより取得された画像のデータと、前記第２の取得ステップにより取得された指標画像のデータとを合成する合成ステップと、を含む画像処理方法であることを特徴とする。
【手続補正１０】
【補正対象書類名】明細書
【補正対象項目名】００１３
【補正方法】変更
【補正の内容】
【００１３】
また、上記目的を達成するため、請求項９に記載の発明は、コンピュータを、被写体を含む画像のデータを取得する第１の取得手段と、前記第１の取得手段により取得された画像のデータに基づいて、前記画像に含まれる主要被写体の特徴を取得する特徴取得手段と、前記特徴取得手段により取得された主要被写体の特徴に基づいて、当該主要被写体の特徴に対する相対的な指標となる指標画像のデータを取得する第２の取得手段、前記第１の取得手段により取得された画像のデータと、前記第２の取得手段により取得された指標画像のデータとを合成する合成手段、として機能させるプログラムであることを特徴とする。
【手続補正１１】
【補正対象書類名】明細書
【補正対象項目名】００１４
【補正方法】変更
【補正の内容】
【００１４】
本発明によれば、被写体の特徴を直感的かつ即座に把握させることができる。
【手続補正１２】
【補正対象書類名】特許請求の範囲
【補正対象項目名】全文
【補正方法】変更
【補正の内容】
【特許請求の範囲】
【請求項１】
被写体を含む画像のデータを取得する第１の取得手段と、
前記第１の取得手段により取得された画像のデータに基づいて、前記画像に含まれる主要被写体の特徴を取得する特徴取得手段と、
前記特徴取得手段により取得された主要被写体の特徴に基づいて、当該主要被写体の特徴に対する相対的な指標となる指標画像のデータを取得する第２の取得手段と、
前記第１の取得手段により取得された画像のデータと、前記第２の取得手段により取得された指標画像のデータとを合成する合成手段と、
を備えたことを特徴とする画像処理装置。
【請求項２】
前記特徴取得手段により取得された主要被写体の特徴に基づいて、前記指標画像のデータを加工する加工手段を更に備え、
前記第２の取得手段は、前記加工手段により加工された指標画像のデータを前記指標画像のデータとして取得する
ことを特徴とする請求項１記載の画像処理装置。
【請求項３】
複数の指標画像を取得する画像取得手段と、
前記画像取得手段により取得された複数の指標画像の何れか一つの選択する選択手段とを更に備え、
前記加工手段は、前記選択手段により選択された指標画像を加工することを特徴とする請求項２記載の画像処理装置。
【請求項４】
前記特徴取得手段は、前記主要被写体の長さを前記特徴として計測する計測手段を有し、
前記加工手段は、前記計測手段により計測された主要被写体の長さに基づいて、前前記指標画像のデータを加工する
ことを特徴とする請求項２又は３に記載の画像処理装置。
【請求項５】
前記加工手段は、前記主要被写体の長さが前記指標画像より長い場合は、前記主要被写体の長さに合わせるように前記指標画像のデータを複製する複製手段を更に備え、
前記合成手段は、前記第１の取得手段により取得された画像のデータと、前記複製手段により複製された指標画像のデータとを合成する
ことを特徴とする請求項４記載の画像処理装置。
【請求項６】
前記計測手段は、前記被写体の直交する２辺の長さを計測する
ことを特徴とする請求項４又は５記載の画像処理装置。
【請求項７】
前記合成手段により合成された前記画像のデータと前記指標画像のデータとを表示手段に表示させる表示制御手段を更に備えたことを特徴とする請求項１から６の何れか１項に記載の画像処理装置。
【請求項８】
画像処理装置が実行する画像処理方法において、
被写体を含む画像のデータを取得する第１の取得ステップと、
前記第１の取得ステップの処理により取得された画像のデータに基づいて、前記画像に含まれる主要被写体の特徴を取得する特徴取得ステップと、
前記特徴取得ステップの処理により取得された主要被写体特徴に基づいて、当該主要被写体の特徴に対する相対的な指標となる指標画像のデータを取得する第２の取得ステップと、
前記第１の取得ステップにより取得された画像のデータと、前記第２の取得ステップにより取得された指標画像のデータとを合成する合成ステップと、
を含むことを特徴とする画像処理方法。
【請求項９】
コンピュータを、
被写体を含む画像のデータを取得する第１の取得手段と、
前記第１の取得手段により取得された画像のデータに基づいて、前記画像に含まれる主要被写体の特徴を取得する特徴取得手段と、
前記特徴取得手段により取得された主要被写体の特徴に基づいて、当該主要被写体の特徴に対する相対的な指標となる指標画像のデータを取得する第２の取得手段、
前記第１の取得手段により取得された画像のデータと、前記第２の取得手段により取得された指標画像のデータとを合成する合成手段、
として機能させることを特徴とするプログラム。